(57)【特許請求の範囲】
【請求項１】
原稿を読み取る原稿読取り部と、
その原稿読取り部の下方に設けられるとともに、装置本体の記録部で記録されて排出された用紙を積載する排紙トレイと、
その排紙トレイと前記原稿読取り部との間に排紙用空間を形成するように設けられた外装カバーとを備え、
前記外装カバーは、書類を出し入れする出し入れ口と、その出し入れ口から挿入した書類を受け入れる内部空間と、その内部空間に受け入れられた書類を受ける受け部と、前記内部空間に受け入れた書類に手を触れることができるように前記排紙用空間側を切り欠いて形成した開口とを有する、
ことを特徴とする画像形成装置。
【請求項２】
前記装置本体は、前記排紙トレイの用紙を取り出すための開口が形成され、その開口と前記出し入れ口とが同じ側に形成されていることを特徴とする、請求項１に記載の画像形成装置。
【請求項３】
前記受け部は、書類の挿入方向に向けて下方に傾斜していることを特徴とする、請求項１または２に記載の画像形成装置。
【請求項４】
前記受け部は、上下多段に備えることを特徴とする、請求項１または２に記載の画像形成装置。
【発明の詳細な説明】
【０００１】
この発明は、プリンタ・複写機・ファクシミリなど、たとえば使用説明書・保証書・コピー原稿・マニュアル本などを入れる書類入れを備える画像形成装置に関する。
【０００２】
【従来の技術】
従来、たとえば複写機の中に、図１２に示すように、装置本体１の排紙側（図中左側）側部を被う外装カバーである左カバー２を備え、その左カバー２の外側に、使用説明書３を入れる書類入れ５を備えたものがある。
【０００３】
その書類入れ５は、出し入れ口４を上向きにして書類ケースを止めねじや両面テープを用いて左カバー２に固定して構成していた。
【０００４】
【発明が解決しようとする課題】
ところが、従来、そのような書類入れ５を左カバー２の外側に取り付ける構成とするため、書類入れ５が出っ張る分だけ複写機全体が大型になるという問題があった。
【０００５】
そこで、この発明の目的は、電子電気機器が大型になることなく、書類入れを備えることにある。
【０００６】
【課題を解決するための手段】
そのため、請求項１に記載の発明による画像形成装置は、
原稿を読み取る原稿読取り部と、
その原稿読取り部の下方に設けられるとともに、装置本体の記録部で記録されて排出された用紙を積載する排紙トレイと、
その排紙トレイと前記原稿読取り部との間に排紙用空間を形成するように設けられた外装カバーとを備え、
前記外装カバーは、書類を出し入れする出し入れ口と、その出し入れ口から挿入した書類を受け入れる内部空間と、その内部空間に受け入れられた書類を受ける受け部と、前記内部空間に受け入れた書類に手を触れることができるように前記排紙用空間側を切り欠いて形成した開口とを有する、
ことを特徴とする。
【０００７】
そして、書類を書類入れ３０にしまうときは、書類を出し入れ口２５から挿入して外装カバー内に入れ、内部空間２４内に受け入れて受け部２０ｂで受ける。
【０００８】
請求項２に記載の発明は、請求項１に記載の画像形成装置において、前記装置本体は、前記排紙トレイの用紙を取り出すための開口が形成され、その開口と前記出し入れ口とが同じ側に形成されていることを特徴とする。
【００１０】
請求項３に記載の発明は、請求項１または２に記載の画像形成装置において、前記受け部は、書類の挿入方向に向けて下方に傾斜していることを特徴とする。
【００１２】
請求項４に記載の発明は、請求項１または２に記載の画像形成装置において、前記受け部は、上下多段に備えることを特徴とする。そして、書類入れに書類をしまうとき、その書類を、たとえばその大きさと対応する受け部で受ける。
【００１３】
【発明の実施の形態】
以下、図面を参照しつつ、この発明の実施の形態につき説明する。
図３は、書類入れを備える複写機の斜視図である。
【００１４】
図中符号１０は、装置本体である。この装置本体１０は、排紙側（図中左側）側部を、上部と下部間で凹状に形成し、そこに排紙用空間Ｓを設け、その空間Ｓに排紙トレイ１６を備える。
【００１５】
そして、この複写機では、圧板１１を開けてコピー原稿を押えてから、操作パネル１４上のコピースイッチをオンし、給紙カセット１２・１５を適宜選択して用紙を送り出し、装置本体１０内の記録部で記録を行い、その記録後の用紙を排紙トレイ１６上に排出する。
【００１６】
ところで、装置本体１０は、上記排紙用空間Ｓを有する排紙側側部を、外装カバーである左カバー２０で被う。そして、ともに樹脂製の左カバー２０と上カバー１８とで排紙用空間Ｓの上を凸状に形成し、その凸部２３内の上側に、図２に示すように、光学ユニット２６の左端部側を配置する一方、その下側に空間２４を残し、そこに使用説明書Ｐの書類入れ３０を形成してなる。なお、図２中符号２７は、コピー原稿をのせるコンタクトガラスである。
【００１７】
書類入れ３０は、樹脂成形により左カバー２０と一体に形成し、凸部２３の先端面に出し入れ口２５をあけ、その出し入れ口２５を、図１に示すように使用説明書Ｐの長さサイズに応じて横長に形成してなる。また、出し入れ口２５と対向する書類挿入方向Ａ奥側に、板状のストッパ部２０ａを凸部２３の底面上から立ち上げてなる。さらに、書類入れ３０には、ストッパ部２０ａと出し入れ口２５間に、使用説明書Ｐを受ける受け部２０ｂを設ける。そして、その受け部２０ｂを、凸部２３の底面上から立ち上げて互いに平行に設ける３つのガイドリブで形成してなる。
【００１８】
しかして、使用説明書Ｐを書類入れ３０にしまうときは、使用説明書Ｐを出し入れ口２５から挿入して左カバー２０内に入れ、空間２４内に受け入れて受け部２０ｂで受ける。そして、図２に示すように、使用説明書Ｐの幅方向一側をストッパ部２０ａに突き当てて止め、使用説明書Ｐ全体が空間２４内に入り込んでしまわないようにする。
【００１９】
ところで、使用説明書は、たとえば複写機を輸出する国によって大きさが異なる場合がある。また、書類入れを、使用説明書とともに、保証書やコピー原稿やマニュアル本などを収めるために利用できると便利であるが、それら書類は、その種類に応じて大きさが異なることが多い。しかし、上述した実施の形態では、書類入れ３０に入れる書類の大きさに対応しようとすると、上記左カバー２０を書類サイズ別につくり分ける必要がある。
【００２０】
そこで、他の書類入れ３０は、たとえば収納する書類の大きさに応じて、受け部を上下多段に備える構成とする。
【００２１】
たとえば図４および図５に示すように、小サイズの使用説明書Ｐ１の大きさに合わせて上記凸部２３内の底面に凹部を設ける。そして、その凹部の底にフラットな小サイズ用書類受け３１を設けるとともに、それより一段高い段部上に大サイズの使用説明書Ｐ２の書類受け３２を設け、それら書類受け３１・３２により受け部２０ｂを上下２段に形成する。しかして、この受け部２０ｂの形状に合わせて出し入れ口２５をあけ、その出し入れ口２５を、上側の大サイズ用出し入れ口２５ａと下側の小サイズ用出し入れ口２５ｂの上下２段に形成する。そうして、大サイズ用書類受け３２上にストッパ部２０ａを立ち上げて設ける。
【００２２】
しかして、大サイズの使用説明書Ｐ２を書類入れ３０にしまうときは、それを出し入れ口２５ａから挿入し、書類受け３２で受けてその上に載せる。そして、使用説明書Ｐ２の幅方向一側をストッパ部２０ａに突き当てて止める。一方、小サイズの使用説明書Ｐ１をしまうときは、それを出し入れ口２５ｂから挿入し、書類受け３１で受けてその上に載せる。そして、使用説明書Ｐ１の幅方向一側を書類受け３１の奥側の壁に突き当てて止める。
【００２３】
なお、図４および図５では、上述した受け部２０ｂを上下２段に形成したが、書類のサイズに応じてそれ以上多段に形成することもできる。
【００２４】
また、上述のように受け部を上下多段に設けることにより、使用説明書・保証書・コピー原稿・マニュアル本など、異なる種類の書類を、種類別に仕分けして収納する使用の仕方もできる。
【００２５】
ところで、上述した書類入れ３０は、受け部２０ｂを上下多段に設けるから、その段数に応じて上下方向に設置スペースが必要となる。また、出し入れ口２５も大きくなるため、そこから誤って手が装置本体１０の内部奥深くまで入り込みやすく危険であり、デザイン的にも、やや見栄えが良くない。
【００２６】
そこで、さらに他の書類入れ３０は、出し入れ口から挿入した書類を突き当てるストッパの位置を、その書類の大きさに応じて書類挿入方向に調整できるようにする。
【００２７】
たとえば図６に示すように、上記凸部２３の底面に設ける受け部２０ｂに、出し入れ口２５近くから書類挿入方向Ａへ２つのガイド長穴３６・３６を互いに平行に設ける。ガイド長穴３６・３６には、それぞれ複数の係合凹部３６ａを書類挿入方向Ａに等間隔に設けてなる。一方、ストッパ３５として、左カバー２０と別体の板部材を用いる。
【００２８】
ストッパ３５は、その両端から互いに平行に伸びるフック部３５ａ・３５ａを設ける。また、それらフック部３５ａ・３５ａの基部側に切欠き凹部３５ｂ・３５ｂを設けてフック部３５ａ・３５ａに弾性を付与した形状としてなる。
【００２９】
そして、このストッパ３５は、たとえば上記複写機の組立時、その排紙側側部に左カバー２０を取り付ける前に、たとえば国内向け特定サイズの使用説明書Ｐと対応する位置に取り付ける。その場合、図７に示すように、使用説明書Ｐの大きさと対応する係合凹部３６ａに、上からフック部３５ａ・３５ａを差し込み、図８に示すように、それらフック部３５ａ・３５ａの爪を左カバー２０に掛け止める。
【００３０】
さらに、他の書類入れ３０は、上記ストッパ３５の位置を外部から調整できるようにする。
【００３１】
たとえば上記図６および図７に示すように、ストッパ３５のフック部３５ａ・３５ａの先端側を細長に形成し、そこに摘み部を３５ｃ・３５ｃを設ける。そして、たとえば図８に示すように、ストッパ３５を取り付けたとき、その摘み部３５ｃ・３５ｃが左カバー２０下方の上記排紙用空間Ｓへ突出するようにする。
【００３２】
さて、たとえば使用説明書の大きさが国内向けのものと異なる外国へ上記複写機を輸出する場合、その外国サイズの使用説明書Ｐと対応する位置にストッパ３５を付け変える必要がある。その場合は、外部の排紙用空間Ｓから摘み部３５ｃ・３５ｃに指を掛けて互いに内向きに撓ませ、フック部３５ａ・３５ａを係合凹部３６ａからいったん外してから、ストッパ３５をガイド長穴３６・３６に沿って移動し、上記外国の使用説明書Ｐの大きさと対応する位置の係合凹部３６ａに、フック部３５ａ・３５ａを差し込んで左カバー２０に掛け止める。しかして、ストッパ３５の位置を、この外国の使用説明書の大きさに合うように調整する。
【００３３】
ところで、たとえば上記図１および図２に示したものと同じ書類入れ３０に、図９に示すように、受け部２０ｂの奥行き深さより小さい書類の全体が入り込んだ場合には、それを簡単に取り出すことができない。
【００３４】
そこで、この発明の書類入れ３０は、そのような場合でも中に入れた書類に手を触れて簡単に取り出せるようにする。
【００３５】
そのため、たとえば図１０に示すように、出し入れ口２５とストッパ部２０ａ間に、上記凸部２３内の底面上からＵ状のリブを立ち上げて受け部２０ｂを形成し、その受け部２０ｂの内側に、出し入れ口２５の下側を通して外部と通ずる開口４０を形成する。
【００３６】
さらに、この書類入れ３０には、開口４０を上から被う保護板部２０ｃを備える。保護板部２０ｃは、開口４０を上から覆うようにその形状に合わせて、出し入れ口２５の上縁から書類挿入方向Ａに延ばしてなる。
【００３７】
そして、この書類入れ３０に、たとえば使用説明書Ｐをしまうときは、出し入れ口２５から、図１１に示すように使用説明書Ｐ全体を挿入する。その後、使用説明書Ｐを取り出すときは、開口４０を通して手を空間２４内に入れ、その中の使用説明書Ｐに触れてそれをつかんで引き出せばよい。
【００３８】
そして、そのように書類を出し入れするときには、手が空間２４より更に奥深く入り込まないように防護板２０ｃで規制する。
【００３９】
なお、以上の実施の形態では、書類入れ３０を上記複写機の左カバー２０に設けたが、書類を受け入れる空間を形成できるものであれば、その他の適宜外装カバーに設けることもできる。
【００４０】
【発明の効果】
したがって、この発明によれば、電子電気機器の外装カバー内のスペースを利用してその中に書類入れを形成し、従来のように書類入れが電子電気機器の装置本体から出っ張る構造としないため、書類入れを備えることによって電子電気機器が大型になることを防止することができる。
【００４１】
請求項４に記載の発明によれば、出し入れ口から挿入した書類を受ける受け部を、上下多段に備えることから、大きさの異なる書類に応じてそれをしまうことができる。また、各段の受け部に、使用説明書・保証書・コピー原稿・マニュアル本など、異なる種類の書類を、種類別に仕分けして収納する使用の仕方もできる利点がある。さらに、輸出国によって大きさの異なる書類であっても、そのサイズ別にわざわざ外装カバーをつくり分ける必要がない利点もある。
【図面の簡単な説明】
【図１】複写機の書類入れの部分を、そこに挿入する使用説明書とともに示す部分斜視図である。
【図２】その書類入れ部分を光学ユニットとともに示す縦断面図である。
【図３】その書類入れを備える複写機の斜視図である。
【図４】他の複写機の書類入れの部分を示す部分斜視図である。
【図５】その書類入れ部分の縦断面図である。
【図６】さらに他の複写機の書類入れの部分を、ストッパを取り外して使用説明書とともに示す部分斜視図である。
【図７】その書類入れの受け部を断面で示し、その受け部へのストッパの取り付け状態を示す状態説明縦断面図である。
【図８】その取り付け後の状態説明縦断面図である。
【図９】図２と同様の書類入れを、小サイズの書類が誤って入り込んだ状態において示す縦断面図である。
【図１０】この発明の複写機の書類入れの部分を示す部分斜視図である。
【図１１】その書類入れ部分の縦断面図である。
【図１２】従来の書類入れを備える複写機の斜視図である。
【符号の説明】
２０          左カバー（外装カバー）
２０ｂ        受け部
２４          空間
２５          出し入れ口
３０          書類入れ
３５          ストッパ
４０          開口
Ａ            書類挿入方向
Ｐ・Ｐ１・Ｐ２  使用説明書（書類）
【図１】
0003966480.tif 000002
【図２】
0003966480.tif 000003
【図３】
0003966480.tif 000004
【図４】
0003966480.tif 000005
【図５】
0003966480.tif 000006
【図６】
0003966480.tif 000007
【図７】
0003966480.tif 000008
【図８】
0003966480.tif 000009
【図９】
0003966480.tif 000010
【図１０】
0003966480.tif 000011
【図１１】
0003966480.tif 000012
【図１２】
0003966480.tif 000013